(57)【要約】【課題】水銀が特定の箇所に集中することによる水銀蒸気圧の低下を防止もしくは抑制することができる放電管、光源ユニットもしくは表示装置を提供すること。【解決手段】管体１１の内部に水銀が封入されるとともにこの管体１１の両端近傍に電極１２が設けられる放電管１において、管体１１に設けられる二箇所の電極１２の間に、線状の部材が螺旋状に形成されて水銀を貯留できる複数の水銀貯留部材１４を略等間隔に設けるとともに、この放電管１１が組み込まれる光源ユニットまたは表示装置には、水銀貯留部材１４の温度を調節できる温度調節手段を設ける。【選択図】図１
2007095340.tif 000002
【特許請求の範囲】
【請求項１】
内部に水銀が封入されるとともにその両端近傍に電極が配設される管体を備える放電管であって、前記管体の内部には水銀を貯留する水銀貯留部材が設けられることを特徴とする放電管。
【請求項２】
前記水銀貯留部材は、線状の部材が螺旋状に形成されてなる部分を備えることを特徴とする請求項１に記載の放電管。
【請求項３】
前記水銀貯留部材は、熱の良導体により形成されることを特徴とする請求項１または請求項２に記載の放電管。
【請求項４】
前記水銀貯留部材は、通電によって発熱および／または吸熱する部材からなることを特徴とする請求項１から請求項３のいずれかに記載の放電管。
【請求項５】
前記水銀貯留部材は、前記電極の間に設けられることを特徴とする請求項１から請求項４のいずれかに記載の放電管。
【請求項６】
前記水銀貯留部材は、前記電極から管体の中央側に寄った位置に形成されることを特徴とする請求項１から請求項５のいずれかに記載の放電管。
【請求項７】
複数の前記水銀貯留部材が、前記管体の全長に亘って略等間隔に設けられることを特徴とする請求項１から請求項６のいずれかに記載の放電管。
【請求項８】
請求項１から請求項７のいずれかに記載の放電管を備えることを特徴とする光源ユニット。
【請求項９】
前記放電管の管体に設けられる水銀貯留部材の温度を調節する温度調節手段をさらに備えることを特徴とする請求項８に記載の光源ユニット。
【請求項１０】
請求項１から請求項７のいずれかに記載の放電管または請求項８もしくは請求項９に記載の光源ユニットを備えることを特徴とする表示装置。
【請求項１１】
前記放電管の管体に設けられる水銀貯留部材の温度を調整する温度調整手段をさらに備えることを特徴とする請求項１０に記載の表示装置。
【発明の詳細な説明】
【技術分野】
【０００１】
本発明は、蛍光管などの放電管と、この放電管を備える光源ユニットおよび表示装置に関するものであり、特に、液晶表示装置の光源として好適な放電管と、この放電管を備える光源ユニットおよび表示装置に関するものである。
【背景技術】
【０００２】
透過型の液晶表示パネルを備える液晶表示装置などは、一般的に液晶表示パネルの背面側に光源ユニットが配設される構成を備える。この光源ユニットに組み込まれる光源としては、たとえば熱陰極管や冷陰極管などといった放電管が広く一般に用いられている。
【０００３】
一般的な放電管は、ガラスなどにより形成される管体と、この管体の両端近傍に配設される電極とを備える。この管体の内部には希ガス類および水銀が封入され、この管体の内周面には蛍光体の薄膜層が形成される。
【０００４】
放電管は、使用中に管体の内部の水銀蒸気圧が低下すると、発光量が減少して輝度が低くなるか、または発光が停止する場合がある。また、水銀蒸気圧が低くなると電極へのダメージが増加し、放電管の寿命が短くなるおそれがある。
【０００５】
水銀蒸気圧の低下の一因として、たとえば管体の温度分布の不均一が挙げられる。管体の温度分布が不均一となると、管体の内部の低温箇所において水銀蒸気圧が局所的に低下する。そして、管体の内部の水銀蒸気圧が均一になろうとする作用が働き、水銀が管体の内部の低温箇所に移動していく。このため、管体の温度分布が不均一な状態での使用を継続すると、当該低温箇所に水銀が集まって他の部分の水銀が少なくなっていき、管体の内部の水銀蒸気圧が低下していく。
【０００６】
表示装置の光源ユニットに適用される放電管の管体は、一般に非常に細長い形状に形成されるから、水銀が特定の箇所に集中すると、その後は拡散し難くなる。そこで一般的に放電管は、その管体の温度分布が均一となる状態で使用されることが推奨されている。しかしながら実際には、放電管の使用中においてその管体の温度分布が不均一となることがある。
【０００７】
たとえばこのような放電管が組み込まれる光源ユニットには、放電管の両端の電極近傍にゴムまたは樹脂などにより形成されるランプホルダが装着され、放電管がこのランプホルダを介してシャーシなどに装着される構成を備えるものがある。このような構成では、放電管の使用中にランプホルダからの放熱によって管体の両端の電極近傍の温度が他の部分の温度より低下し、管体の温度分布が不均一となる。
【０００８】
また、このような光源ユニットが組み込まれる表示装置を、表示パネルを縦長の向きに配置して使用したいという要求がある。たとえば広告用の表示装置においてこのような要求が大きい。前記構成の光源ユニットまたは表示装置は、表示パネルが縦長の向きになるように配置されると、放電管の管体も略垂直の向きに立った状態となる。この状態で表示装置の使用が継続されると、温度上昇した空気は放電管の上端側に集まり、低温の空気は放電管の下端側に集まるから、放電管の管体の上端側と下端側とで温度差が生じて温度分布が不均一となる。
【０００９】
また、前記構成の光源ユニットまたは表示装置は、次のような問題も有する。放電管の電極近傍にゴムホルダが装着されると、前記理由により電極近傍に水銀が集中しやすくなる。放電管を略垂直に立てて使用する構成においては、前記理由により下端側の電極近傍に水銀が集中しやすくなる。電極においてはスパッタリングが発生しているから、電極近傍に水銀が集中すると、水銀がスパッタリングによって電極を構成する物質の内部に取り込まれ易くなる。このため、水銀の無効化の進行速度が速くなって発光に有効に作用する水銀の減少が早まり、放電管の寿命が短くなるおそれがある。
【００１０】
【特許文献１】特開２００３−９２０１９号公報
【特許文献２】特開２００３−１００１３０号公報
【特許文献３】特開２００４−６３２４５号公報
【発明の開示】
【発明が解決しようとする課題】
【００１１】
上記実情に鑑み、本発明が解決しようとする課題は、水銀が特定の箇所に集中することによる水銀蒸気圧の低下を防止もしくは抑制することができる放電管、光源ユニットもしくは表示装置を提供すること、または使用時において水銀を管体の内部に拡散させやすい放電管、光源ユニットもしくは表示装置を提供すること、または水銀の偏在に起因する発光の輝度の低下、発光の停止または短寿命化を防止もしくは抑制できる放電管、光源ユニットもしくは表示装置を提供することである。
【課題を解決するための手段】
【００１２】
このような課題を解決するため、本発明は、内部に水銀が封入されるとともに、たとえばその両端近傍に電極が設けられる管体を備える放電管において、前記管体の内部に水銀を貯留できる水銀貯留部材を設けることを要旨とするものである。
【００１３】
この水銀貯留部材は、線状の部材が螺旋状に成形されてなる部分を備え、当該螺旋状に成形されてなる部分が管体の内部に配置され、両端が管体の外側に引き出される構成であることが好ましい。そして、この水銀貯留部材は、管体の外側に引き出された部分を介して温度調節ができるよう、熱の良導体により形成されることが好ましい。また、この水銀貯留部材は、管体の外部に引き出された部分から通電することにより、発熱および／または吸熱する部材から形成される構成であってもよい。
【００１４】
この水銀貯留部材は、管体の両端近傍に設けられる電極の間に設けられることが好ましい。また、この電極から管体の中央側に寄った位置に設けられることが好ましい。さらに、複数の水銀貯留部材が、管体の全長に亘って略等間隔に設けられることが好ましい。
【００１５】
また、この放電管が組み込まれる光源ユニットまたは表示装置は、放電管の水銀貯留部材の温度を調整する温度調整手段を備えることが好ましい。
【発明の効果】
【００１６】
このような構成によれば、放電管の使用時開始において水銀貯留部材に貯留される水銀を気化することにより、管体の内部の全体に亘って水銀を拡散させることができる。この結果、管体の内部の水銀の偏在を防止し、水銀蒸気圧の低下に起因する発光の輝度の低下や発光の停止、寿命への悪影響を防止することができる。
【００１７】
この水銀貯留部材を管体の両端近傍に設けられる電極の間に設ける構成とすれば、水銀がより拡散しやすくなる。また、水銀貯留部を電極の位置から管体の中央側に寄った位置に設けられる構成とすると、水銀が電極の近傍に集中することを防止できる。このため、水銀がスパッタリングによって電極を構成する物質の内部に取り込まれて無効化される速度が速まることを防止して管体の寿命が短くなることを防止できる。さらに、複数の水銀貯留部が、管体の全長に亘って略等間隔に設けられる構成とすれば、管体の内部に均一に水銀蒸気を拡散させやすくなる。
【００１８】
この水銀貯留部材が線状の部材により螺旋状に形成される部分を備える構成とすると、この螺旋状に形成される部分は表面積が大きいから、水銀が付着しやすく、かつ付着した水銀を貯留しやすくなる。
【００１９】
そして、熱の良導体により形成される構成とすると、管体の内部から引き出された両端部を介して温度調整が容易となる。また、通電により発熱および／または吸熱する部材から形成されるものであると、電流を流すことによりこの水銀貯留部材の温度を調整することができる。したがって、たとえば使用開始時においては水銀を加熱して気化および拡散させ、使用中は水銀を液化して貯留しておくことが容易にできるようななる。
【００２０】
なお、この放電管が組み込まれる光源ユニットまたは表示装置に、この水銀貯留部材の温度を調整する温度調整手段を設ける構成とすれば、光源ユニットや表示装置の使用状況に応じて水銀貯留部材を発熱または吸熱させ、水銀の気化による拡散または液化による貯留を行うことができる。
【発明を実施するための最良の形態】
【００２１】
以下に、本発明の実施形態について、図面を参照して詳細に説明する。図１は、本発明の実施形態に係る放電管の構成を示した断面模式図である。本実施形態にかかる放電管１は、ガラスなどによりたとえば直管形状に形成される管体１１と、この管体１１の両端近傍に配設される電極１２と、これらの電極１２の間に配設される水銀貯留部材１４とを備える。管体１１の内部には希ガス類および水銀が封入され、管体１１の内周面には蛍光体の薄膜１３が形成される。なお、水銀貯留部材１４を除いては従来一般の蛍光管などの放電管と同じ構造を適用できることから、説明は省略する。
【００２２】
水銀貯留部材１４は、液体の水銀を付着させることにより貯留できる部材である。この水銀貯留部材１４は、細い線材が螺旋状に成形される構成を有する。たとえば図１の拡大図に示すように、細い線材による二重螺旋構造を備える。このような構成によれば、水銀貯留部材１４の表面積を大きくすることができるから、水銀貯留部材１４には液体の水銀が付着しやすく、かつ付着した水銀を貯留しつづけることができる。
【００２３】
また、この水銀貯留部材１４は、熱の良導体により形成される。たとえばコバール線・タングステン線など放電管の電極部を保持するリード線と同じ材料の金属などが挙げられる。熱の良導体により形成されるものであれば、管体１１の外部に引き出された両端部を加熱または冷却することにより、水銀貯留部材１４の温度調整を容易に行うことができる。そして、水銀貯留部材１４を冷却することにより、管体１１の内部に存在する気体の水銀を液化させて付着させ、貯留することができる。また、水銀貯留部材１４を加熱することにより付着している液体の水銀を気化させて、管体１１の内部に拡散させることができる。
【００２４】
この水銀貯留部材１４は、管体１１の両端にある電極１２の間に、所定の間隔をおいて略等間隔で複数設けられる。このような構成によれば、各水銀貯留部材１４が貯留する水銀を気化させた場合に、管体１１の内部に均等に拡散しやすくなる。また、冷却した場合においては、管体１１の内部の全体に亘って存在する気体の水銀を貯留しやすくなる。そしてこれら複数の水銀貯留部材１４のうち、電極１２に最も近い位置にあるものは、これらの電極１２から少し離れた位置、たとえば電極１２から１０ｍｍ程度離れた位置に設けられる。水銀貯留部材１４を電極１２の直近に設けると、水銀が電極１２の近傍に集まってスパッタリングにより電極１２を構成する物質の内部に取り込まれやすくなり、放電管１の寿命が短くなるおそれがあるからである。
【００２５】
次に、前記実施形態に係る放電管１が適用される光源ユニットおよび表示装置について説明する。図２は、前記実施形態に係る放電管１が適用される光源ユニット２および表示装置３の構成を模式的に示した分解斜視図である。なお、以下においては説明の便宜上、図２中の上側を光源ユニット２または表示装置３の「前面側」と、下側を「背面側」と称する。
【００２６】
本発明の実施形態に係る光源ユニット２は、シャーシ２１と、前記実施形態に係る放電管１と、放電管１が発した光を乱反射する反射シート２２と、放電管１が発した光の特性を調整する光学シート類２５と、光学シート類２５のスペーサなどとして機能するサイドホルダ２４と、光学シート類２５などをシャーシ２１に保持するなどの機能を有するフレーム２６とを備える。そして、この光源ユニット２は、放電管１の水銀貯留部材１４の温度を調節する温度調整手段（図示せず）を備える。このほか、放電管１を駆動する光源駆動回路基板２７や、この光源駆動回路基板２７を覆う光源駆動回路基板カバー２８など、その他の所定の部材を備える。
【００２７】
シャーシ２１は略四辺形の部材であり、たとえば金属の板材などによりプレス加工などを用いて一体に形成される。このシャーシ２１は、略長方形に形成される底面２１１を有し、この底面２１１の相対向する長辺の周縁部には、前面側に向かって衝立状に起立する側壁２１２が設けられる。この側壁２１２の上端、すなわち前面側には、底面２１１の面方向に略平行な載置面２１３が形成される。この載置面２１３は、光学シート類２５の周縁部を載置する面である。
【００２８】
反射シート２２は、放電管１が発した光を乱反射させるシート状または板状の部材である。たとえば、発泡ＰＥＴ樹脂（ポリエチレンテレフタレート樹脂）などにより形成される。光学シート類２５は、ここでは放電管１が発した光の特性を調整するための板状もしくはシート状の部材またはこれらの集合をいう。具体的にはたとえば、拡散板、レンズシート、偏光反射フィルムなどが含まれる。そして一般的にはこれらが積み重ねられて用いられる。
【００２９】
サイドホルダ２４は、光学シート類２５を載置するためのスペーサなどとして機能する略棒状の部材である。このサイドホルダ２４は、たとえば樹脂材料などにより一体に形成される。フレーム２６は、放電管１や光学シート類２５などの部材をシャーシ２１に保持するなどのための部材である。このフレーム２６は、たとえば金属の板材などによりプレス加工などを用いて開口した略四辺形に形成される。光源駆動回路基板２７は、放電管１を駆動するための電子回路や電気回路が構築された回路基板である。
【００３０】
これらシャーシ２１、反射シート２２、光学シート類２５、サイドホルダ２４、フレーム２６、光源駆動回路基板２７および光源駆動回路基板カバー２８は、従来一般に用いられるものが適用できることから、詳細な説明は省略する。
【００３１】
温度調整手段（図示せず）は、電源と、この電源に接続されるペルチェ素子を備える。そしてこのペルチェ素子は、管体の外側に引き出された水銀貯留部材の両端部に、熱の伝導を容易な形態で接合される。このような構成によれば、電源からペルチェ素子に電流を流すことにより、水銀貯留部材の両端部を加熱または冷却することができる。そしてこの水銀貯留部材は熱の良導体により形成されるから、管体の外部に引き出される両端部を加熱または冷却することにより、管体の内部に配置される螺旋状に形成される部分の温度を調整することができる。なお、加熱と冷却を切り換えるには、電流の向きを変更すればよい。
【００３２】
なお、この温度調整手段は、独立した回路基板に構成されるものであっても良く、たとえば前記電源駆動回路基板２７に付加的に構成されるものであってもよい。
【００３３】
このような部材を備える光源ユニット２の組み付けは、次の通りである。シャーシ２１の前面側に反射シート２２を布設し、その前面側に放電管１を配置する。この状態で、サイドホルダ２４をシャーシ２１の短辺の周縁部に載置する。そして光学シート類２５をシャーシ２１の載置面２１３とサイドホルダ２４の前面側に載置し、さらにその前面側からフレーム２６を装着する。一方、シャーシ２１の背面側に、光源駆動回路基板２７、光源駆動回路基板カバー２８を装着する。
【００３４】
表示装置３は、前記のようにして組み付けられた光源ユニット２と、液晶モジュール３１と、ベゼル３２と、コントロール回路基板３３と、コントロール回路基板カバー３４と、その他所定の部材とを備える。液晶モジュール３１は、液晶表示パネル３１１と、この液晶表示パネル３１に形成される各絵素を駆動するゲートドライバ３１２およびソースドライバ３１３とを備える。そしてこの液晶表示パネル３１１の周縁部にゲートドライバ３１２およびソースドライバ３１３が実装される構成を備える。ベゼル３２は、たとえば金属の板材などによりプレス加工などを用いて開口した略四辺形に形成される。
【００３５】
そしてこの表示装置３は、光源ユニット２のフレーム２６の前面側に液晶モジュール３１が配設され、さらにその前面側からベゼル３２が装着される構成を備える。また、光源ユニット２のシャーシ２１の背面側には、液晶モジュール３１を制御するコントロール回路基板３３、このコントロール回路基板３３を覆うコントロール回路基板カバー３４や、その他必要な部材などが装着される。
【００３６】
このような光源ユニット２または表示装置３の動作について説明する。図１を参照して説明すると、放電管１の使用開始時において、温度調整手段により水銀貯留部材１４を加熱する。水銀貯留部材１４が加熱されると、この水銀貯留部材１４に貯留されている液体の水銀も加熱されて気化し、管体１１の内部に拡散する。水銀貯留部材１４は管体１１の内部に略等間隔に複数設けられているから、気化した水銀は管体１１の内部に略均一に拡散する。このため、使用開始時において管体１１の内部の全体に亘って水銀蒸気圧を略均一にできる。この結果、発光輝度の低下、発光の停止が発生せず、また、電極１２へのダメージが大きくなることが防止される。
【００３７】
電極１２の間で放電が開始すると、管体１１の内部の温度はその後急激に上昇する。使用開始後所定の時間経過した後は、温度調節手段により水銀貯留部材１４を冷却する。管体１１の内部に封入される水銀の量は、発光に必要な量よりも多く、管体１１の内部は水銀蒸気が飽和状態にある。このため放電開始時に一部の水銀が気化して水銀蒸気となり、残りは液体の状態で存在することになる。気体の水銀が温度の低い水銀貯留部材１４に接近または接触すると、液化して水銀貯留部材１４に付着するから、水銀貯留部材１４は水銀を液化して貯留することができる。なお、水銀貯留部材１４の冷却温度は、管体１１の内部で最も低い温度となるようにすればよい。
【００３８】
そして使用終了後においても水銀貯留部材１４により液体の水銀が貯留された状態が維持される。このため、次回の使用開始時おいて、水銀貯留部材１４を加熱すると、この水銀貯留部材１４に貯留される水銀が気化して拡散する。このように、使用開始時に加熱し、その後冷却する構成とすると、毎回、管体１１の全体に亘って水銀を拡散させやすくなる。したがって、水銀蒸気圧の低下による発光の輝度の低下、発光の停止、電極へのダメージを防止することができる。
【００３９】
このような構成の放電管、光源ユニットまたは表示装置は、放電管を縦置きで使用する形態の光源ユニットまたは表示装置に好適に適用できる。前記のとおり、放電管を縦置きの状態で使用すると、放電管やその他の部材の発する熱により放電管の周囲の空気が加熱される。そして加熱されて温度上昇した空気は放電管の上端側に集まり、低温の空気は放電管の下端側に集まる。この結果、放電管の上端側と下端側とで温度差が生じ、水銀は温度の低い下端側に集まって、水銀蒸気として有効に拡散し難くなる。また、縦置きの状態では、使用を停止すると液化した水銀が下端側に集まりやすいため、使用を再開する際に水銀蒸気が有効に拡散し難くなる。
【００４０】
そこで、少なくとも上端側の電極の近傍に水銀貯留部材を設ける構成とすると、使用開始時において、この水銀貯留部材に保持される液体の水銀を気化させることにより、上端側近傍にも水銀を拡散させやすくなる。また、水銀貯留部材を管体の全長に亘って略均等の間隔に設ける構成とすると、使用開始時において管体の内部に均等に気体の水銀を拡散させることができる。したがって、放電管の機能や寿命に悪影響を与えることなく、管体を立てた状態で使用することができる。
【００４１】
ここで、水銀貯留部材および温度調整手段の変形例について説明する。
【００４２】
第一の変形例は、水銀貯留部材の温度調節を、ペルチェ効果を用いて行う構成である。図３は、ペルチェ効果を用いて温度調整を行う水銀貯留部材１４と温度調整手段の回路構成を示した模式図である。図３に示すように、二種類の異なる金属材料Metal_A，Metal_Bからなる線材を、互いにその両端で接続してループ状の回路を構成する。そして一方の接合点Ｐ１を放電管の管体１１の内部に、他方の接合点Ｐ２を放電管１の管体１１の外部に配置する。管体１１の内部に配置される接合点Ｐ１の近傍は、螺旋状に形成されて水銀貯留部材１４が構成される。また、このループ状の回路には、直流電流を流す直流電源４１と、電流の向きを変えるスイッチ４２とが設けられる。
【００４３】
このような構成の回路に直流電流を流すと、ペルチェ効果により、Metal_AとMetal_Bの二箇所の接合点Ｐ１，Ｐ２の一方で熱の吸収が生じ、他方の接合点Ｐ２，Ｐ１で発熱が生じる。このため、この回路に電流を流すことにより、放電管１の管体１１の内部に設けられる水銀貯留部材１４を加熱または冷却することができる。なお、加熱と冷却の切替は、スイッチ４２を用いて電流の向きを変更することにより行うことができる。
【００４４】
具体的な動作は次の通りである。放電管１の使用開始時においては、放電管１の管体１１の内部に配置された接合部Ｐ１が発熱する向きに電流を流す。そして水銀貯留部材１４に貯留される液体の水銀を加熱して気化させ、管体１１の内部に拡散させる。その後、スイッチ４２により電流の向きを変更し、管体１１の内部に配置された接合部Ｐ１で吸熱が生じるようにする。そして管体１１の内部に存在する気体の水銀を冷却して液化し、水銀貯留部材１１に付着させて貯留する。
【００４５】
第２の変形例は、水銀貯留部材を通電により発熱する材料により形成する構成である。通電により発熱する材料としては、たとえばニクロム線、カンタル線などが挙げられる。管体の外部に引き出される端部は、電流を流すことができるように電源に接続されるとともに、放熱片などの放熱部材が設けられる。このような構成によれば、使用開始時において液体の水銀を気化させるため、管体の外部に引き出されている水銀貯留部材の両端部から通電する。通電された水銀貯留部材はジュール熱により温度上昇し、水銀貯留部材に付着している水銀が加熱されて気化する。一方、水銀を貯留する場合には、通電を停止し、水銀貯留部材の熱を放熱部材を通じて管体の外部に放散させる。
【００４６】
以上、本発明の実施形態について詳細に説明したが、本発明は、前記実施形態になんら限定されるものではなく、本発明の趣旨を逸脱しない範囲において種々の改変が可能である。
【００４７】
たとえば、前記実施形態においては、水銀貯留部材が二重螺旋構造を備える構成を示したが、この構成に限られるものではない。たとえば、単純な螺旋構造であっても良く、三重以上の螺旋構造であってもよい。また、螺旋構造に限られず、たとえばスチールウール状に形成されるものであってもよい。要は、表面積を大きくでき、液体の水銀を保持しやすい構造であればよい。
【００４８】
また、温度調整手段は、ペルチェ素子を用いる構成に限定されるものではなく、公知の各種加熱手段や冷却手段を適用することができる。
【００４９】
このほか、前記実施形態においては、直線状に形成される管体を備える放電管を示したが、管体の形状も限定されるものではない。たとえば、Ｕ字や円形など、任意の形状の管体に適用できる。
【図面の簡単な説明】
【００５０】
【図１】本発明の実施形態に係る放電管の構成を示した断面模式図である。
【図２】本実施形態に係る放電管を備える光源ユニットおよび表示装置の構成を模式的に示した分解斜視図である。
【図３】ペルチェ効果を用いて水銀貯留部材の温度を調節するための回路の構成を模式的に示した図である。
【符号の説明】
【００５１】
１  放電管
１１  放電管の管体
１２  放電管の電極
１３  蛍光体の薄膜
１４  水銀貯留部材
【図１】
2007095340.tif 000003
【図２】
2007095340.tif 000004
【図３】
2007095340.tif 000005